(57)【要約】【課題】制御基板に不正基板が接続される不正行為を抑制できる技術を提供する。【解決手段】主制御基板５１０に実装される雌コネクタ６１０と、雌コネクタ６１０と嵌合する雄コネクタ６２０とを有する遊技機であって、雌コネクタ６１０は、導電性のピン６１２を有し、雄コネクタ６２０は、雌コネクタ６１０のピン６１２が挿入される挿入部を有し、雌コネクタ６１０と雄コネクタ６２０とは、雄コネクタ６２０の挿入部が雌コネクタ６１０のピン６１２に挿入されて導通可能な第１の状態と、挿入部が第１の状態からさらに奥に挿入された状態である第２の状態とに嵌合可能であり、雄コネクタ６２０と雌コネクタ６１０とが第２の状態に嵌合した場合には、雄コネクタ６２０と雌コネクタ６１０との嵌合を解除する際に雌コネクタ６１０の塑性変形を伴う。【選択図】図５
2010279552.tif 000002
【特許請求の範囲】
【請求項１】
制御基板に実装される雌コネクタと、当該雌コネクタと嵌合する雄コネクタとを有する遊技機であって、
前記雌コネクタは、導電性のピンを有し、
前記雄コネクタは、前記雌コネクタの前記ピンが挿入される挿入部を有し、
前記雌コネクタと前記雄コネクタとは、当該雄コネクタの前記挿入部が当該雌コネクタの前記ピンに挿入されて導通可能な第１の状態と、当該挿入部が当該第１の状態からさらに奥に挿入された状態である第２の状態とに嵌合可能であり、
前記雄コネクタと前記雌コネクタとが前記第２の状態に嵌合した場合には、当該雄コネクタと当該雌コネクタとの嵌合を解除する際に当該雌コネクタの塑性変形を伴うことを特徴とする遊技機。
【請求項２】
前記雄コネクタと前記雌コネクタとの嵌合を解除する際には、当該雌コネクタの前記ピンが塑性変形することを特徴とする請求項１に記載の遊技機。
【請求項３】
前記雌コネクタは複数の前記ピンを有し、前記雄コネクタとの嵌合が解除される際に、当該複数のピンの内の一部が塑性変形することを特徴とする請求項２に記載の遊技機。
【請求項４】
前記雌コネクタの前記ピンの先端部は折り曲げられており、
前記雄コネクタと前記雌コネクタとが前記第１の状態に嵌合した場合には、当該雌コネクタの折り曲げられた前記ピンの先端部は当該雄コネクタの前記挿入部の内部に存在し、当該雄コネクタと当該雌コネクタとが前記第２の状態に嵌合した場合には、当該折り曲げられたピンの先端部は当該挿入部の外部に存在することを特徴とする請求項２または３に記載の遊技機。
【請求項５】
前記雄コネクタは、前記第１の状態から前記第２の状態への移行を抑制する抑制部材を有することを特徴とする請求項１から４のいずれか１項に記載の遊技機。
【請求項６】
前記雌コネクタは、前記ピンを取り囲むように設けられた側壁部を有し、
前記雄コネクタは、前記雌コネクタの前記側壁部と嵌合するコネクタ本体を有し、当該雄コネクタは、前記抑制部材が当該コネクタ本体から人為的に取り除かれることにより前記第１の状態から前記第２の状態への移行が許容されることを特徴とする請求項５に記載の遊技機。
【請求項７】
互いに嵌合して接続される雌コネクタと雄コネクタとを有するコネクタであって、
前記雌コネクタは、導電性のピンを有し、
前記雄コネクタは、前記雌コネクタの前記ピンが挿入される挿入部を有し、
前記雌コネクタと前記雄コネクタとは、当該雄コネクタの前記挿入部が当該雌コネクタの前記ピンに挿入されて導通可能な第１の状態と、当該挿入部が当該第１の状態からさらに奥に挿入された状態である第２の状態とに嵌合可能であり、
前記雄コネクタと前記雌コネクタとが前記第２の状態に嵌合した場合には、当該雄コネクタと当該雌コネクタとの嵌合を解除する際に当該雌コネクタの塑性変形を伴うことを特徴とするコネクタ。
【発明の詳細な説明】
【技術分野】
【０００１】
本発明は、パチンコ遊技機等の遊技機および遊技機の制御基板に用いられるコネクタに関する。
【背景技術】
【０００２】
従来より、パチンコ遊技機等の遊技機の背面には、内部抽選および当選の判定等を行う遊技制御が実行されるメイン制御基板や、払出球の払い出し制御を行う払出制御基板などの複数の基板が配置されている。そして、これらの制御基板間を電気的に接続するために、制御基板に雌コネクタを実装し、この雌コネクタに、電線（ハーネス）が取り付けられた雄コネクタを嵌合している。
【０００３】
例えば、特許文献１に記載の遊技機は以下のように構成されている。すなわち、パチンコ機（遊技機）の中枠の背面中央部に、主制御基板および中継基板を覆う基板ケースが設けられている。基板ケースは、主制御基板、中継基板、および主制御基板と中継基板とを電気的に接続する副制御基板ハーネスを覆って、中枠の背面に取り付けられている。基板ケースの上方には副制御基板が設けられている。基板ケースからは、中継基板と副制御基板とを電気的に接続するハーネスが着脱されるコネクタが露出している。
【０００４】
【特許文献１】特開２００６−１４９７３７号公報
【発明の開示】
【発明が解決しようとする課題】
【０００５】
主制御基板に実装された雌コネクタを介して、例えば主制御基板に不正基板が接続される不正行為が行われるおそれがある。そのため、コネクタを介して不正基板が接続される不正行為が行われないように対策しておくことが好ましい。
【課題を解決するための手段】
【０００６】
かかる目的のもと、本発明は、制御基板５１０に実装される雌コネクタ６１０と、当該雌コネクタ６１０と嵌合する雄コネクタ６２０とを有する遊技機１００であって、前記雌コネクタ６１０は、導電性のピン６１２を有し、前記雄コネクタ６２０は、前記雌コネクタ６１０の前記ピン６１２が挿入される挿入部６４２を有し、前記雌コネクタ６１０と前記雄コネクタ６２０とは、当該雄コネクタ６２０の前記挿入部６４２が当該雌コネクタ６１０の前記ピン６１２に挿入されて導通可能な第１の状態と、当該挿入部６４２が当該第１の状態からさらに奥に挿入された状態である第２の状態とに嵌合可能であり、前記雄コネクタ６２０と前記雌コネクタ６１０とが前記第２の状態に嵌合した場合には、当該雄コネクタ６２０と当該雌コネクタ６１０との嵌合を解除する際に当該雌コネクタ６１０の塑性変形を伴うことを特徴とする遊技機１００である。
【０００７】
ここで、前記雄コネクタ６２０と前記雌コネクタ６１０との嵌合を解除する際には、当該雌コネクタ６１０の前記ピン６１２（６１３）が塑性変形することが好適である。
また、前記雌コネクタ６１０は複数の前記ピン６１２を有し、前記雄コネクタ６２０との嵌合が解除される際に、当該複数のピン６１２の内の一部が塑性変形することが好適である。
また、前記雌コネクタ６１０の前記ピン６１３の先端部６１４は折り曲げられており、前記雄コネクタ６２０と前記雌コネクタ６１０とが前記第１の状態に嵌合した場合には、当該雌コネクタ６２０の折り曲げられた前記ピン６１３の先端部６１４は当該雄コネクタ６２０の前記挿入部６４２の内部に存在し、当該雄コネクタ６２０と当該雌コネクタ６１０とが前記第２の状態に嵌合した場合には、当該折り曲げられたピン６１３の先端部６１４は当該挿入部６４２の外部に存在することが好適である。
【０００８】
ここで、前記雄コネクタ６２０は、前記第１の状態から前記第２の状態への移行を抑制する抑制部材７５０を有することが好適である。
また、前記雌コネクタ６１０は、前記ピン６１２を取り囲むように設けられた側壁部６１１を有し、前記雄コネクタ６２０は、前記雌コネクタ６１０の前記側壁部６１１と嵌合するコネクタ本体６２１を有し、当該雄コネクタ６２０は、前記抑制部材７５０が当該コネクタ本体６２１から人為的に取り除かれることにより前記第１の状態から前記第２の状態への移行が許容されることが好適である。
【０００９】
他の観点から捉えると、本発明は、互いに嵌合して接続される雌コネクタ６１０と雄コネクタ６２０とを有するコネクタ６００であって、前記雌コネクタ６１０は、導電性のピン６１２を有し、前記雄コネクタ６２０は、前記雌コネクタ６１０の前記ピン６１２が挿入される挿入部６４２を有し、前記雌コネクタ６１０と前記雄コネクタ６２０とは、当該雄コネクタ６２０の前記挿入部６４２が当該雌コネクタ６１０の前記ピン６１２に挿入されて導通可能な第１の状態と、当該挿入部６４２が当該第１の状態からさらに奥に挿入された状態である第２の状態とに嵌合可能であり、前記雄コネクタ６２０と前記雌コネクタ６１０とが前記第２の状態に嵌合した場合には、当該雄コネクタ６２０と当該雌コネクタ６１０との嵌合を解除する際に当該雌コネクタ６１０の塑性変形を伴うことを特徴とするコネクタ６００である。
【００１０】
なお、本欄における上記符号は、本発明の説明に際して例示的に付したものであり、この符号により本発明が減縮されるものではない。
【発明の効果】
【００１１】
本発明によれば、雌コネクタと雄コネクタとを第２の状態に嵌合することで、雌コネクタと雄コネクタとの嵌合の解除が抑制されるので、例えば、主制御基板に不正な制御基板が接続されることに起因する不正行為を行うことが難しくなる。
【発明を実施するための最良の形態】
【００１２】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１３】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に装飾図柄により報知したり、キャラクタの登場やアイテムの出現による予告演出を表示したりする。なお、画像表示部１１４としては、例えば液晶表示装置、ＥＬ表示装置、ＬＥＤドット表示装置または７セグ表示装置等による構成例が考えられる。
また、本実施の形態では、遊技盤１１０の前面に、各種の演出に用いられる可動役物１１５および盤ランプ１１６を備えている。可動役物１１５は、遊技盤１１０に対して可動に構成され、可動による各種の演出を行い、また、盤ランプ１１６は、発光することで光による各種の演出を行う。
【００１４】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１５】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別電動役物（大入賞口１２５）、または予め定められた１の特別図柄表示器の何れかを作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球は第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１６】
なお、パチンコ遊技機１００は、所定の条件下で、特別図柄抽選時に大当たりが抽選される大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする（電チューサポート）場合がある。
【００１７】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。この大入賞口１２５は、通常は閉状態であるが特別図柄抽選の結果により所定条件（例えば３０秒経過または遊技球１０個の入賞）を満たすまで突出傾斜して開状態が維持されるラウンドを所定回数（例えば１５回または２回）だけ繰り返す。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。この表示器１３０の詳細は後述する。
【００１８】
賞球の払い出しについて説明する。第１始動口１２１、第２始動口１２２、大入賞口１２５および普通入賞口１２６に遊技球が入賞すると、遊技球が入賞した場所に応じて、１つの遊技球当たり規定個数の賞球が払い出される。その一例を示すと、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球がそれぞれ払い出される。なお、ゲート１２４を遊技球が通過したことを検出しても、それに連動した賞球の払い出しは無い。
【００１９】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００２０】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２１】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。なお、本実施の形態では、第１特別図柄表示器２２１および第２特別図柄表示器２２２は、７セグ表示装置で構成され、また、普通図柄表示器２２３は、ＬＥＤ表示装置で構成されている。
【００２２】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。この保留について説明する。変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。なお、本実施の形態では、第１特別図柄保留表示器２１８、第２特別図柄保留表示器２１９および普通図柄保留表示器２２０の各々は、一列に配設したＬＥＤ表示装置で構成され、その点灯態様によって保留数が表示される。
【００２３】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを指示することが可能であり、また、中央キーを操作することにより、指示した画像を選択することが可能である。
【００２４】
〔制御ユニットの構成〕
次に、パチンコ遊技機１００での動作制御や信号処理を行う制御ユニットについて説明する。
図３は、制御ユニットの内部構成を示すブロック図である。同図に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像/音響制御部３１０と、各種のランプおよび可動役物１１５を用いた演出を制御するランプ制御部３２０と、払出球の払い出し制御を行う払出制御部４００と、を備えている。前述したように、遊技制御部２００、演出制御部３００、画像/音響制御部３１０、ランプ制御部３２０、および払出制御部４００各々は、遊技盤１１０の後面に配設されたメイン基板としての遊技制御基板、さらにはサブ基板としての演出制御基板、画像制御基板、ランプ制御基板、および払出制御基板において個別に構成されている。
【００２５】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで突出傾斜して開状態を維持するラウンドを所定回数（例えば１５回または２回）だけ繰り返すように制御する。さらには、大入賞口１２５が開く際の開閉動作間隔を制御する。
【００２６】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００２７】
遊技制御部２００には、図３に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００２８】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１と、第２始動口１２２への遊技球の入賞により始動した特別図柄抽選の結果を表示する第２特別図柄表示器２２２、普通図柄抽選の結果を表示する普通図柄表示器２２３と、が接続されている。
【００２９】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２および普通図柄表示器２２３に送られる。それにより、遊技制御部２００は、上記した払い出し賞球数に関連する各種制御を行う。
【００３０】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００３１】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際に、演出ボタン１６１または演出キー１６２を用いたユーザからの操作入力を受けて、操作入力に応じた演出内容を設定する場合もある。
また、演出制御部３００は、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像/音響制御部３１０およびランプ制御部３２０に送る。
【００３２】
〔画像/音響制御部の構成・機能〕
画像/音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像/音響制御部３１０は、演出制御部３００から送られたコマンドに基づいて、画像表示部１１４に表示する画像およびスピーカ１５６から出力する音響を制御する。
具体的には、画像/音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ/アイテム表示等のための画像処理と、読み出した音響データを用いた音声処理とを行う。
そして、画像/音響制御部３１０は、画像処理された画像データにより画像表示部１１４での画面表示を制御する。また、音声処理された音響データによりスピーカ１５６から出力される音響を制御する。
【００３３】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯/点滅や発光色等を制御する。また、可動役物１１５の動作を制御する。
具体的には、ランプ制御部３２０のＲＯＭ３２２には、演出制御部３００にて設定される演出内容に応じた盤ランプ１１６や枠ランプ１５７での点灯/点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７での発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００３４】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
具体的には、払出制御部４００は、遊技制御部２００から、遊技球が入賞した場所（第１始動口１２１等）に応じた所定数の賞球を払い出すコマンドを取得する。そして、コマンドに指定された数だけの賞球を払い出すように払出駆動部４１１を制御する。ここでの払出駆動部４１１は、遊技球の貯留部から遊技球を送り出す駆動モータで構成される。
【００３５】
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を枠用外部情報端子基板４５０を介してホストコンピュータに送信する。また、遊技制御部２００に対しても、同様の情報を送信する。
【００３６】
次に、パチンコ遊技機１００の枠部材１５０の構成について説明する。
図４は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０とを備える。外枠１０は、４つの金属製の枠部材である右縦枠部材１１、左縦枠部材１２、上横枠部材１３および下横枠部材１４と、外枠１０の四隅に位置し、隣り合う枠部材を相互に連結する角部材１５とを有する。
【００３７】
前面枠２０は、上下方向に回転軸が延びるように一側部（図１での左側部）が外枠１０に取り付けられている。付言すると、前面枠２０は、透明板を所定位置に保持する透明板保持枠２１と、遊技盤１１０を所定位置に保持する遊技盤保持枠２２とを備えている。そして、図４に示すように、閉めた状態の透明板保持枠２１および遊技盤保持枠２２を一体で外枠１０に対して回転させて開けることが可能である。また、図示を省略するが、透明板保持枠２１および遊技盤保持枠２２を閉めた状態において、透明板保持枠２１を単独で外枠１０および遊技盤保持枠２２に対して回転させて開けることが可能である。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００３８】
遊技盤１１０の後面には、各種の基板等が取り付けられる。この各種の基板等について付言すると、遊技盤１１０の後面には、メイン基板およびサブ基板が配設されている。すなわち、メイン基板として、内部抽選および当選の判定等を行う遊技制御部２００が構成された主制御基板５１０が配設されている。この主制御基板５１０は、開封することにより痕跡が残るように透明部材で構成された主制御基板ケース５２０に密封されている。また、主制御基板５１０は、この主制御基板５１０に実装された雌コネクタ６１０を含むコネクタ６００を介して他の基板と接続されている。
【００３９】
また、サブ基板として、演出を統括的に制御する演出制御部３００が構成された演出制御基板、画像および音による演出を制御する画像/音響制御部３１０が構成された画像制御基板、および、各種のランプおよび可動役物１１５による演出を制御するランプ制御部３２０が構成されたランプ制御基板等が配設されている。また、遊技盤１１０の後面には、供給された２４ＶのＡＣ電源をＤＣ電源に変換して各種の基板等に出力するスイッチング電源５３０が配設されている。
【００４０】
さらに、払出球の払い出し制御を行う後述の払出制御部４００が構成された払出制御基板５４０と、払出制御基板５４０により制御され、外部から補給された補給球を一時的に溜めておき、賞球の払い出しや貸し球の払い出しを行う払い出しユニット５６０と、が枠部材１５０に配設されている。払出制御基板５４０は、透明部材で構成された払出制御基板ケース５５０でカバーされている。
【００４１】
次に、コネクタ６００の構成について説明する。
＜第１の実施形態＞
コネクタ６００は、制御基板に実装される雌コネクタ６１０と、雌コネクタ６１０と嵌合して接続される雄コネクタ６２０とから構成される。
図５は、第１の実施形態に係るコネクタ６００の概略構成を示す斜視図である。主制御基板５１０に実装されたコネクタ６００の雌コネクタ６１０と、雄コネクタ６２０との嵌合対応状態を示す図である。図６は、雌コネクタ６１０の断面図であり、図５におけるＶＩ−ＶＩ断面図である。図７は、第１の実施形態に係る雄コネクタ６２０の概略構成を示す斜視図である。
【００４２】
雌コネクタ６１０は、主制御基板５１０に載置されるべき底面６１１ａを備えた雌コネクタ本体６１１と、雌コネクタ本体６１１に形成された孔６１１ｂに嵌合され、かつ互いに平行に延びるように並んだ複数のピン６１２とを有している。ピン６１２の材質は、例えば金メッキ銅合金である。
雌コネクタ本体６１１は、例えば樹脂により形成されており、主制御基板５１０に実装される際には、底面６１１ａが主制御基板５１０に接触するようになっている。また、雌コネクタ本体６１１は、断面形状がコの字状になるように、底面６１１ａとは反対側の面は一部開口している。そして、雌コネクタ本体６１１の内側の側壁には後述する雄コネクタ本体６２１の凸部６２３が嵌る凹部６１１ｃが形成されている。
【００４３】
各ピン６１２は、導電体から形成されており、一方の端部側が、雌コネクタ本体６１１に形成された孔６１１ｂに嵌合され、その端部が雌コネクタ本体６１１の底面６１１ａから主制御基板５１０側に突出している。さらに、この各ピン６１２の一方の端部側は、主制御基板５１０に形成されたスルーホール５１０ａを通され、ハンダ付けにより主制御基板５１０の配線パターン５１１に接続される。
【００４４】
また、図５，図６に示すように、ピン６１２の他方の端部側（雄コネクタ６２０と対向する側）においては、複数のピン６１２の内の少なくとも１つのピン６１２が折り曲げられている。この折り曲げられたピン６１２を折り曲げられていないピン６１２と区別してピン６１３と称し、以下に具体的に説明する。ピン６１３は、折り曲げられていないピン６１２と略平行な部位６１３ａと、この略平行な部位の軸心に対して鋭角をなす部位６１３ｂとを有し、この鋭角をなす部位６１３ｂと、略平行な部位６１３ａの雄コネクタ６２０と対向する側の一部とで先端部６１４を形成している。なお、先端部６１４における略平行な部位６１３ａの長さは、鋭角をなす部位６１３ｂの長さ以下であることを例示することができる。また、ピン６１３の鋭角をなす部位６１３ｂの先端の、ピン６１３の略平行な部位６１３ａの軸心からの半径方向の位置は、少なくとも一部が後述する嵌合孔６４２ａ（図９参照）の内径よりも外側に存在する。
【００４５】
雄コネクタ６２０は、複数（本実施の形態においては２０本）の電線６３０と、各電線６３０と接続されるコンタクト６４０と、コンタクト６４０を支持し雌コネクタ６１０の雌コネクタ本体６１１の内側に嵌合される雄コネクタ本体６２１とを有している。
コンタクト６４０は、一端側に電線６３０を支持する電線支持部６４１を有し、他端側には雌コネクタ６１０のピン６１２が嵌合される嵌合孔６４２ａが形成されたピン嵌合部６４２を有している。
雄コネクタ本体６２１には、コンタクト６４０を挿入させて固定する固定孔６２２が複数（本実施の形態においては２０）形成されている。また、雄コネクタ本体６２１の外面には雌コネクタ６１０の凹部６１１ｃに嵌る凸部６２３が複数（本実施の形態においては長手方向の両端面に１つずつの計２つ）設けられている。
【００４６】
雄コネクタ本体６２１の外面に凸部６２３が設けられていることにより、雌コネクタ６１０と雄コネクタ６２０とは、凸部６２３が雌コネクタ本体６１１の開口側の端面６１１ｄに突き当たった状態である第１の状態と、凸部６２３が凹部６１１ｃに嵌った状態である第２の状態とに嵌合可能である。図８は、雌コネクタ６１０と雄コネクタ６２０とが第１の状態に嵌合しているときの断面図である。図９は、雌コネクタ６１０と雄コネクタ６２０とが第２の状態に嵌合しているときの断面図である。
【００４７】
図８に示すように、第１の状態においては、雌コネクタ６１０のピン６１２が、コンタクト６４０のピン嵌合部６４２の嵌合孔６４２ａに挿入されて導通可能である。つまり、ピン嵌合部６４２が、雌コネクタ６１０のピン６１２が挿入される挿入部として機能する。また、この第１の状態においては、複数のピン６１２の内、ピン６１３の先端部６１４は、挿入前の状態から変形して嵌合孔６４２ａの内部に存在する。
【００４８】
図９に示すように、第２の状態においては、雄コネクタ６２０が第１の状態からさらにピン６１２の軸方向に深く挿入されている。つまり、コンタクト６４０のピン嵌合部６４２の嵌合孔６４２ａが、第１の状態からさらにピン６１２の軸方向に深く挿入されている。この第２の状態においても、導通可能である。そして、第２の状態においては、図９に示すように、複数のピン６１２内の折り曲げられたピン６１３の先端部６１４が、嵌合孔６４２ａの外部に存在する。本実施の形態に係る雄コネクタ６２０においては、雄コネクタ６２０と雌コネクタ６１０とが第２の状態に嵌合した場合には、ピン６１３の先端部６１４は、コンタクト６４０の電線支持部６４１と嵌合部６４２との間に存在する。
【００４９】
以上のように構成されたコネクタ６００においては、ピン６１２の材質は金メッキ銅合金であるので、雄コネクタ６２０と雌コネクタ６１０とが第１の状態から第２の状態の嵌合に移行した場合には、雌コネクタ６１０のピン６１３の弾性によりその先端部６１４の鋭角をなす部位６１３ｂ（図６参照）の先端の少なくとも一部は、半径方向の位置が嵌合孔６４２ａの内径よりも外側に存在する。それゆえ、雄コネクタ６２０と雌コネクタ６１０との嵌合を解除するために雄コネクタ６２０を雌コネクタ６１０から引き抜こうとすると、雄コネクタ６２０のコンタクト６４０のピン嵌合部６４２あるいは雌コネクタ本体６１１が、ピン６１３の先端部６１４により力を受け、両コネクタの嵌合の解除が抑制される。
【００５０】
そして、ピン６１３の先端部６１４により受ける力に抗して、雄コネクタ６２０を雌コネクタ６１０から引き抜くと、ピン６１３の先端部６１４がコンタクト６４０のピン嵌合部６４２あるいは雌コネクタ本体６１１により力を受けて塑性変形する。例えば、ピン６１３の鋭角をなす部位６１３ｂが、略平行な部位６１３ａから破断する。そして、ピン６１３の鋭角をなす部位６１３ｂが破断して脱落した場合には、破断したピン６１３に対して雄コネクタ６２０を抜き差しすることが容易となる。
【００５１】
したがって、このコネクタ６００が適用されたパチンコ遊技機１００においては、雌コネクタ６１０が主制御基板５１０に実装され、電線６３０が接続された雄コネクタ６２０を介して他の制御基板と接続されているので、主制御基板５１０に、正当な制御基板の代わりに不正な制御基板が接続されることを抑制することができる。また、たとえ、主制御基板５１０に実装された雌コネクタ６１０から、強引に正当な制御基板に接続された雄コネクタ６２０が引き抜かれたとしても、その後には雌コネクタ６１０に対して雄コネクタの抜き差しが容易になることから、不正な制御基板が主制御基板５１０に接続されていることを容易に判別することができる。
【００５２】
なお、上述した事項においては、主制御基板５１０と特定の制御基板とをコネクタ６００を介して物理的にも電気的にも接続する態様について説明したが、主制御基板５１０と特定の制御基板とを物理的に接続せずに、中継基板を介して接続する態様についても本実施の形態に係るコネクタ６００を用いることが好適である。すなわち、主制御基板５１０と中継基板とを電線を介して物理的に接続し、中継基板と特定の制御基板とを電線を介して物理的に接続することで、主制御基板５１０と特定の制御基板とを電気的に接続する場合においても、少なくとも主制御基板５１０に本実施の形態に係る雌コネクタ６１０を実装し、電線６３０が接続された雄コネクタ６２０を介して中継基板と接続することが好適である。
【００５３】
また、主制御基板５１０に複数の雌コネクタが実装されるなど、複数のコネクタを介して複数の他の制御基板と接続される場合には、全てのコネクタに上述したコネクタ６００を適用することが好ましいが、少なくとも、以下に述べる制御基板と電気的に接続するコネクタに適用することが好ましい。
【００５４】
例えば、払出制御基板５４０と主制御基板５１０とを電気的に接続するコネクタに本実施の形態に係るコネクタ６００を適用することが好適である。これにより、正当な払出制御基板５４０の代わりに不正な払出制御基板５４０が接続されることに起因して賞球が不正に払い出されることを抑制することができる。
【００５５】
また、例えば、大入賞口開閉部２１６を構成する制御基板と、主制御基板５１０とを電気的に接続するコネクタに本実施の形態に係るコネクタ６００を適用することが好適である。これにより、不正な制御基板が接続されて大入賞口開閉部２１６が開状態に設定されることに起因して、不正に大入賞口１２５が開状態となり、賞球が不正に払い出されることを抑制することができる。なお、かかる場合には、セキュリティの観点からは主制御基板５１０に実装される雌コネクタを有するコネクタおよび大入賞口開閉部２１６を構成する制御基板に実装される雌コネクタを有するコネクタの両方に本実施の形態に係るコネクタ６００を適用することが望ましいが、いずれか一方のコネクタに本実施の形態に係るコネクタ６００を適用してもよい。いずれか一方のコネクタに本実施の形態に係るコネクタ６００を適用する場合には、パチンコ遊技機１００の奥まった位置に配置される大入賞口開閉部２１６を構成する制御基板側のコネクタに本実施の形態に係るコネクタ６００を適用することが望ましい。これにより、主制御基板５１０側のコネクタ接続を解除することで行うメンテナンス性を悪化させることなく賞球が不正に払い出されることを抑制することができる。
【００５６】
また、例えば、電動チューリップ開閉部２１３を構成する制御基板と、主制御基板５１０とを電気的に接続するコネクタに本実施の形態に係るコネクタ６００を適用することが好適である。これにより、不正な制御基板が接続されて電動チューリップ１２３が不正に開かれることに起因して、賞球が不正に払い出されることを抑制するとともに不正に特別図柄抽選が行われることを抑制することができる。なお、かかる場合には、セキュリティの観点からは主制御基板５１０側のコネクタおよび電動チューリップ開閉部２１３を構成する制御基板側のコネクタの両方に本実施の形態に係るコネクタ６００を適用することが望ましいが、いずれか一方のコネクタに本実施の形態に係るコネクタ６００を適用してもよい。いずれか一方のコネクタに本実施の形態に係るコネクタ６００を適用する場合には、パチンコ遊技機１００の奥まった位置に配置される電動チューリップ開閉部２１３を構成する制御基板側のコネクタに本実施の形態に係るコネクタ６００を適用することが望ましい。これにより、主制御基板５１０側のコネクタ接続を解除することで行うメンテナンス性を悪化させることなく、賞球が不正に払い出されることを抑制するとともに不正に特別図柄抽選が行われることを抑制することができる。
【００５７】
なお、ピン６１３の先端部６１４により受ける力に抗して、雄コネクタ６２０を雌コネクタ６１０から引き抜いた場合には、再度雄コネクタ６２０を雌コネクタ６１０に嵌合しても通電しないようにすることも好適である。このようにすることで、不正な制御基板が主制御基板５１０に接続されたとしても信号線としての機能を果たさなくなり作動しないため、賞球が不正に払い出されることなどを抑制することができる。通電しないようにするには、ピン６１３の制御基板側端部の一部の断面積を先端部６１４の断面積よりも小さくし、ピン６１３の先端部６１４により受ける力に抗して雄コネクタ６２０を雌コネクタ６１０から引き抜いた場合には、ピン６１３の制御基板側端部の断面積が小さい箇所が優先的に破断するようにすることを例示することができる。
【００５８】
＜第２の実施形態＞
第２の実施形態に係るコネクタ７００は、第１の実施形態に係るコネクタ６００の雌コネクタ６１０と、第１の実施形態に係るコネクタ６００の雄コネクタ６２０とは異なる雄コネクタ７２０とから構成される。そして、第２の実施形態に係るコネクタ７００は、雄コネクタ７２０の第１の状態から第２の状態への嵌合の移行を抑制する抑制部材を備えている点が第１の実施形態に係るコネクタ６００と異なる。その他の構成については第１の実施形態に係るコネクタ６００と同じであり、以下では、第１の実施形態に係るコネクタ６００と異なる点について述べる。
【００５９】
図１０は、第２の実施形態に係るコネクタ７００を示す図である。
図１０に示すように、コネクタ７００は、雄コネクタ７２０の第１の状態から第２の状態への移行を抑制する抑制部材の一例としての移行抑制棒７５０を有しており、雄コネクタ７２０の雄コネクタ本体７２１には、移行抑制棒７５０が嵌合される貫通孔７２１ａが形成されている。また、人為的に移行抑制棒７５０を貫通孔７２１ａに抜き差し可能なように移行抑制棒７５０と貫通孔７２１ａとはすきまばめで嵌合可能に形成されている。
【００６０】
さらに、移行抑制棒７５０は、雄コネクタ本体７２１の長手方向の長さよりも長くなるように形成されており、図１０（ａ）に示すように、雄コネクタ本体７２１の貫通孔７２１ａに嵌合された移行抑制棒７５０を、雄コネクタ本体７２１の長手方向の両端面から外側に突出するように嵌合することが可能である。
【００６１】
それゆえ、第２の実施形態に係るコネクタ７００においては、雌コネクタ６１０と雄コネクタ７２０とを、貫通孔７２１ａに嵌合された移行抑制棒７５０が雌コネクタ本体６１１の開口側の端面６１１ｄに突き当たった状態で導通する第１の状態と、図１０（ｂ）に示すように移行抑制棒７５０が貫通孔７２１ａから引き抜かれ、雄コネクタ７２０が第１の状態からさらに深く差し込まれた状態である第２の状態とに嵌合可能である。
【００６２】
このように構成されたコネクタ７００においては、使用者が雌コネクタ６１０と雄コネクタ７２０とを第２の状態に嵌合させたくない場合には、図１０（ａ）に示すように、移行抑制棒７５０を、雄コネクタ本体７２１の長手方向の両端面から外側に突出させるように貫通孔７２１ａに嵌合することで、第１の状態の嵌合に維持し、第２の状態に移行することを抑制することができる。
【００６３】
これにより、例えば、パチンコ遊技機１００が完成品として出荷される前の、開発段階あるいは工場でのテスト段階において、雌コネクタ６１０と雄コネクタ７２０とを繰り返し抜き差しして動作テストなどを行う場合には、雌コネクタ６１０と雄コネクタ７２０とを第１の状態に維持し、パチンコ遊技機１００を完成品として出荷する際には第２の状態にすることができる。そのため、パチンコ遊技機１００が完成品として出荷された後には、主制御基板５１０に不正基板が接続される不正行為を抑制することができるとともに、パチンコ遊技機１００が完成品として出荷される前の開発段階などにおいて、誤って、ピン６１３の塑性変形を伴うことなく嵌合を解除不可能な第２の状態の嵌合状態となることを抑制することができる。
【００６４】
なお、上述した実施形態においては、移行抑制棒７５０が、雄コネクタ本体７２１の長手方向の両端面から外側に突出する構成であるが、移行抑制棒７５０が、雄コネクタ本体７２１の長手方向とは直交する方向（幅方向）の両端面から外側に突出する構成でもよい。
【００６５】
また、第１の状態の嵌合状態から第２の状態の嵌合状態へ容易に移行することを抑制するための手段としては、移行抑制棒７５０、貫通孔７２１ａに限定するものではない。パチンコ遊技機１００が完成品として出荷する際に、人為的に抑制部材を取り除くことで第１の状態の嵌合状態から第２の状態の嵌合状態への移行を許容するものであればいかなる態様でもよい。
【００６６】
図１１は、第２の実施形態に係るコネクタ７００の他の態様を示す図である。
図１１に示すように、抑制部材として、コの字状に形成された板である移行抑制板７６０を用い、雄コネクタ７２０の雄コネクタ本体７２１の長手方向の外面にこの移行抑制板７６０が嵌合する嵌合溝７２１ｂを形成してもよい。
【００６７】
かかる構成においても、雌コネクタ６１０と雄コネクタ７２０とを、嵌合溝７２１ｂに嵌合された移行抑制板７６０が雌コネクタ本体６１１の開口側の端面６１１ｄに突き当たった状態で導通する第１の状態に維持することができ、誤って、ピン６１３の塑性変形を伴うことなく嵌合を解除不可能な第２の状態に移行することを抑制することができる。また、パチンコ遊技機１００を完成品として出荷する際には、図１１（ｂ）に示すように人為的に移行抑制板７６０を雄コネクタ７２０から取り除いて、雌コネクタ６１０と雄コネクタ７２０とを第２の状態の嵌合状態にすることで、主制御基板５１０に不正基板が接続される不正行為を抑制することができる。
【００６８】
図１２は、第２の実施形態に係るコネクタ７００の他の態様を示す図である。
抑制部材として、ビニールなどの粘着テープ７７０を用い、図１２に示すように、この粘着テープ７７０を雄コネクタ本体７２１の外面に何重にも貼り付けることも好適である。
かかる構成においても、雌コネクタ６１０と雄コネクタ７２０とを、雄コネクタ本体７２１の外面に貼られた粘着テープ７７０が雌コネクタ本体６１１の開口側の端面６１１ｄに突き当たった状態で導通する第１の状態に維持することができ、誤って、ピン６１３の塑性変形を伴うことなく嵌合を解除不可能な第２の状態に移行することを抑制することができる。また、パチンコ遊技機１００を完成品として出荷する際には、図１２（ｂ）に示すように人為的に粘着テープ７７０を雄コネクタ７２０から剥がして、雌コネクタ６１０と雄コネクタ７２０とを第２の状態の嵌合状態にすることで、主制御基板５１０に不正基板が接続される不正行為を抑制することができる。
【図面の簡単な説明】
【００６９】
【図１】本実施の形態に係るパチンコ遊技機の概略正面図である。
【図２】本実施の形態に係るパチンコ遊技機を説明する図であり、（ａ）は、遊技盤の右下に配設された表示器の一例を示す拡大図であり、（ｂ）は、パチンコ遊技機の部分平面図である。
【図３】制御ユニットの内部構成を示すブロック図である。
【図４】枠部材の構成を説明する斜視図である。
【図５】第１の実施形態に係るコネクタの概略構成を示す斜視図である。
【図６】雌コネクタの断面図であり、図５におけるＶＩ−ＶＩ断面図である。
【図７】第１の実施形態に係る雄コネクタの概略構成を示す斜視図である。
【図８】雌コネクタと雄コネクタとが第１の状態に嵌合しているときの断面図である。
【図９】雌コネクタと雄コネクタとが第２の状態に嵌合しているときの断面図である。
【図１０】第２の実施形態に係るコネクタを示す図である。
【図１１】第２の実施形態に係るコネクタの他の態様を示す図である。
【図１２】第２の実施形態に係るコネクタの他の態様を示す図である。
【符号の説明】
【００７０】
１００…パチンコ遊技機、５１０…主制御基板、６００，７００…コネクタ、６１０…雌コネクタ、６１１…雌コネクタ本体、６１２…ピン、６１３…折り曲げられたピン、６２０，７２０…雄コネクタ、６２１，７２１…雄コネクタ本体、６３０…電線、６４０…コンタクト、７５０…移行抑制棒、７６０…移行抑制板、７７０…粘着テープ
【図１】
2010279552.tif 000003
【図２】
2010279552.tif 000004
【図３】
2010279552.tif 000005
【図４】
2010279552.tif 000006
【図５】
2010279552.tif 000007
【図６】
2010279552.tif 000008
【図７】
2010279552.tif 000009
【図８】
2010279552.tif 000010
【図９】
2010279552.tif 000011
【図１０】
2010279552.tif 000012
【図１１】
2010279552.tif 000013
【図１２】
2010279552.tif 000014